(57)【要約】【課題】ベースシートに光硬化性樹脂を含浸したコンクリート構造物の壁面の防護シートとして、ベースシートに対する光硬化性樹脂の含浸時間や壁面張り付け後の光硬化性樹脂の硬化時間が速く、人体や環境への悪影響が無いものを提供する。【解決手段】ベースシートとしての麻織布シート１４に、光硬化性樹脂を含浸した防護シート１１。この防護シート１１は、長尺又は短尺の形で光線不透過性の袋等に密封して保管し、現場において長尺は切断しながら、短尺はそのまま、コンクリート構造物の壁面に、シート張り付けローラ等による押圧を介して張り付けた後、自然昼光の照射部では、自然の可視光線や近赤外線の照射により光硬化性樹脂を硬化させ、またマンホールなどの自然昼光の非照射部では、蛍光灯、メタルハライドランプ等による可視光線や近赤外線の照射により光硬化性樹脂を硬化させて固着する。【選択図】図１
2008184802.tif 000002
【特許請求の範囲】
【請求項１】
一枚の麻織布シート全体又は二枚以上積層した麻織布シート全体に光硬化性樹脂を含浸してなる、コンクリート構造物の壁面の防護シート。
【請求項２】
麻織布シートに補強用ネット状シートを積層してなる、請求項１記載のコンクリート構造物の壁面の防護シート。
【発明の詳細な説明】
【技術分野】
【０００１】
この発明は、コンクリート構造物、例えば水路（中小の河川、側溝を含む）、マンホール、ピットなどの壁面の防護（特に防水、防食）のために、該壁面に張り付けて固着するシートの改良に関する。
【背景技術】
【０００２】
この種のコンクリート構造物の壁面の防護シートとしては、ベースシートとしてのガラス繊維シート（ガラス繊維マットなど）全体に光硬化性樹脂を含浸したものが知られている（例えば、特許文献１参照）。
【０００３】
しかしこの公知のガラス繊維シート型の防護シートには、工場や現場におけるガラス繊維シートに対する光硬化性樹脂の含浸やコンクリート構造物の壁面に対する張り付け作業時における光硬化性樹脂の硬化に、比較的長時間かかるとともに、この樹脂の含浸作業時や壁面に対する張り付け作業時に、ガラス繊維シートを形成するガラス繊維の粉末が飛散して、人体や環境に悪影響を及ぼすという問題がある。
【特許文献１】特開２００２−３６４１６号公報
【発明の開示】
【発明が解決しようとする課題】
【０００４】
この発明は、公知のガラス繊維シート型のものに認められる上記のような問題に鑑み、コンクリート構造物の壁面の防護シートとして、光硬化性樹脂のベースシートに対する含浸時間や壁面張り付け後における光硬化性樹脂の硬化時間が短く、人体や環境への悪影響がなく、かつコストも安いものを提供することを課題としている。
【課題を解決するための手段】
【０００５】
この発明に係るコンクリート構造物の壁面の防護シートは、特許請求の範囲の請求項１に記載のように、基本的には、一枚の麻織布シート全体又は二枚以上積層した麻織布シート全体に光硬化性樹脂を含浸する構成からなる。
【０００６】
この発明の防護シートは、特許請求の範囲の請求項２に記載のごとく、麻織布シートに補強用ネット状シートを積層することができる。
【０００７】
この発明の防護シートにおける麻織布シートとしては、一般には産業資材用として提供されているものを用いることができる。
【０００８】
光硬化性樹脂としては、それ自体は周知のように、可視光線又は短波長の近赤外線による硬化性を有するビニルエステル樹脂などを用いることができる。
【０００９】
麻織布シート全体に対する光硬化性樹脂の含浸は、長尺の麻織布シートを巻取りドラム類に巻き取ったロールの形態で光硬化性樹脂液中に一括して浸漬する長尺物のバッチ含浸方式や、長尺の麻織布シートを伸展状態で光硬化性樹脂液中を搬送しながら含浸する長尺物の搬送（順送り）含浸方式のほか、現場における使用長さに対応した短尺状態で光硬化性樹脂液に浸漬したり塗布したりする短尺もののバッチ含浸方式などで行うことができる。
【００１０】
また補強用ネット状シートとしては、金属製やプラスチック製などの網（ネット）シートはもちろん、三軸や四軸などの組布（不織布、織布）シートのようなネット状布シート等も用いることができる。
【００１１】
この発明に係る防護シートは、一般には、巻取りドラム類に巻取った長尺のロールの形や短尺の形で、使用直前まで光線不透過性の袋等で密封包装した状態で保管し、コンクリート構造物の壁面に対しては、長尺物は使用長さに切断しながら、シート張り付けローラなどによる押圧を介して張り付ける。
【００１２】
この後は、中小の河川などの自然昼光の照射部では、自然の可視光線やこれに隣接する近赤外線の照射によって、光硬化性樹脂が硬化し、またマンホールなどの自然昼光の非照射部では、蛍光灯、メタルハライドランプ等による可視光線や近赤外線の照射により、光硬化性樹脂を硬化させ、これによって防護シートはコンクリート構造物の壁面に堅固に固着する。
【発明の効果】
【００１３】
特許請求の範囲の請求項１に記載のこの発明のコンクリート構造物の壁面の防護シートの基本構成によれば、ベースシートが一枚又は二枚以上積層した麻織布シートからなるので、光硬化性樹脂が含浸し易く、その作業を短時間で終えることができるとともに、光の透過性が良く、光硬化性樹脂の硬化時間も短い。また人体や環境への悪影響も全くないとともにコストも安い。
【００１４】
また請求項２に記載の補強用ネット状シートの積層構成によれば、防護シートの強度がアップし、寿命も長くなるとともに、ネット状の構成のため、麻織布シートに対する光硬化性樹脂の含浸や硬化が阻害されることも無い。
【発明を実施するための最良の形態】
【００１５】
この発明に係る防護シートは、最もシンプルには、請求項１に記載の基本構成に対応する形態として、図１に概括的に１１で示すように、一枚の麻織布シート１４全体に光硬化性樹脂（図示せず）を含浸した形態や、図２に１２で示すように、二枚の麻織布シート１４を積層した積層麻織布シート全体に光硬化性樹脂を含浸した形態で実施することができ、また請求項２に記載の補強用ネット状シートの付加構成に対応する形態として、図３に１３で示すように、二枚の麻織布シート１４を溶接網シート又は組布シート１５を挟んで積層した溶接網シート又は組布シート補強型積層麻織布シート全体に光硬化性樹脂を含浸した形態で実施することができる。
【００１６】
これらの防護シート１１、１２、１３は、長尺のロールの状態又は使用に対応する短尺の状態で、光線不透過性の包装袋類に密封して保管した後、現場に持ち込んで開封し、長尺のロールの状態の場合には必要長ずつ切断しながら、又短尺の状態の場合にはそのまま、所要の壁面に張り付けて使用することができる。
【実施例】
【００１７】
小泉製麻製の麻織布シート（商品名ベッシャンクロス）（目付３１５ｇ／ｍ、幅４０ｃｍ、長さ５０ｍ）と、同じ麻織布シート２枚を積層した積層麻織布シート（幅４０ｃｍ、長さ５０ｍ）と、同じ麻織布シート２枚を理研電線製のステンレス鋼線（直径０.２ｍｍ）の溶接網シート（網目５０ｍｍ×５０ｍｍ、幅４０ｃｍ、長さ５０ｍ）を挟んで積層したステンレス製溶接網シート補強型積層麻織布シート（幅４０ｃｍ、長さ５０ｍ）及び同じ麻織布シート２枚を東洋紡製の三軸組布シート（厚さ約０．４０ｍｍ、網目５０ｍｍ×５０ｍｍ）を挟んで積層した組布シート補強型積層麻織布シート（幅４０ｃｍ、長さ５０ｍ）のそれぞれを、昭和高分子製の光硬化性樹脂（商品名リポキシ）液中に一括して浸漬して、これらの該麻織布シートのロール全体に光硬化性樹脂を含浸して、図１、図２及び図３に対応する４種類の防護シートを形成した後、各防護シートを１ｍの短尺長さに切断した状態で、アルミホイール製の包装袋に密封包装した。
【００１８】
これらの短尺の各防護シートを、プライマー塗料や素地調整塗料などを用いて前処理した中小河川の壁面に対して、押圧ローラにより押圧しながら張り付け、放置したところ、光硬化性樹脂は約１０分前後で硬化し、これらの各防護シートは壁面にしっかりと固着した。
【００１９】
またこれらの短尺の各防護シートを、同様の前処理をしたマンホールの壁面に、押圧ローラを介して張り付けた後、蛍光灯を介して可視光線を照射したところ、光硬化性樹脂は約１０分前後で硬化し、各防護シートは壁面にしっかりと固着した。
【図面の簡単な説明】
【００２０】
【図１】この発明に係る防護シートの一実施形態の部分拡大断面図である。
【図２】他の実施形態の部分拡大断面図である。
【図３】さらに他の実施形態の部分拡大断面図である。
【符号の説明】
【００２１】
１１  防護シート
１２  防護シート
１３  防護シート
１４  麻織布シート
１５  溶接網シート又は組布シート
【図１】
2008184802.tif 000003
【図２】
2008184802.tif 000004
【図３】
2008184802.tif 000005